(57)【要約】【課題】画面設計時に表示画面の視認範囲等を確認可能にし、実使用時の視認性を確認しながら画面作成を行えるようにする。【解決手段】視野範囲算出処理部５１は、プログラマブル操作表示器の表示部の機種ごとの視野角情報を含む表示器視野角情報５２と、表示装置の使用時における表示部の取付位置を示す取付位置情報（表示部から操作者までの操作距離、表示部の取付高さ、取付角度等）とに基づき、取付位置に応じた操作者が視認可能な視認可能範囲を算出し、モニタ上の視野範囲情報画面に視認範囲算出結果として視認可能エリアを表示する。あるいは、表示器視野角情報５２と、表示部に対する操作者の位置を示す視認位置情報（操作者の身長、操作距離等）とに基づき、視認位置に応じた表示部の最適取付位置を算出し、視野範囲情報画面に視認範囲算出結果として最適な取付位置、取付角度等を表示する。【選択図】図４
2010198121.tif 000002
【特許請求の範囲】
【請求項１】
表示装置における表示画面の設計に用いる表示画面設計支援装置であって、
作成した表示画面を前記表示装置において表示した場合に操作者から見える視野範囲を算出する視野範囲算出処理部を備え、
前記視野範囲算出処理部は、
前記表示装置の表示部の機種ごとの視野角情報を含む表示器視野角情報を入力する表示器視野角情報入力部と、
前記表示装置の使用時における前記表示部の取付位置を示す取付位置情報を入力する取付位置情報入力部と、
前記表示器視野角情報及び前記取付位置情報に基づき、取付位置に応じた操作者が視認可能な視認可能範囲を算出する視認可能範囲算出部と、
前記算出した視認可能範囲を含む視野範囲情報を出力する視野範囲算出結果出力部と、
を有する表示画面設計支援装置。
【請求項２】
表示装置における表示画面の設計に用いる表示画面設計支援装置であって、
作成した表示画面を前記表示装置において表示した場合に操作者から見える視野範囲を算出する視野範囲算出処理部を備え、
前記視野範囲算出処理部は、
前記表示装置の表示部の機種ごとの視野角情報を含む表示器視野角情報を入力する表示器視野角情報入力部と、
前記表示装置の使用時における前記表示部に対する操作者の位置を示す視認位置情報を入力する視認位置情報入力部と、
前記表示器視野角情報及び前記視認位置情報に基づき、視認位置に応じた表示部の最適取付位置を算出する最適取付位置算出部と、
前記算出した最適取付位置を含む視野範囲情報を出力する視野範囲算出結果出力部と、
を有する表示画面設計支援装置。
【請求項３】
コンピュータに、請求項１または２に記載の表示画面設計支援装置の各部の機能を実現させるためのプログラム。
【発明の詳細な説明】
【技術分野】
【０００１】
本発明は、プログラマブル操作表示器等の表示装置における表示画面の設計を支援する表示画面設計支援装置及びプログラムに関する。
【背景技術】
【０００２】
工場、店舗、オフィス等の種々の施設に設けられる機械や設備等において、中間ユーザによって取り付けられ、エンドユーザによって操作表示パネルとして使用されるプログラマブル操作表示器が広く用いられている。プログラマブル操作表示器は、ＬＣＤ等の表示デバイスの上にタッチパネル等の操作入力デバイスを搭載した表示部を備えており、プログラマブルロジックコントローラ（ＰＬＣ）等の外部機器と接続され、外部機器の操作、動作状況の表示などを行うものである。
【０００３】
この種のプログラマブル操作表示器として、表示デバイス及び操作入力デバイスを有する表示部の他に、オペレーションシステムプログラムを格納したシステムメモリ、オペレーションシステムプログラムに基づいてシステム全体を制御する制御部、外部機器と接続されその外部機器との間でデータを送受信する通信部、表示部の表示画面の設定情報を記憶する設定記憶メモリ等を備えたものが存在する（例えば、特許文献１参照）。表示部の表示画面には、設定情報に基づいて、外部機器操作用の操作ボタンや操作スイッチ等の操作部材、各種表示用の文字や画像等の表示シンボルなどが表示される。表示画面の操作部材などの表示領域を触れることにより、表示画面上の操作入力デバイス及び制御部によって操作部材に対応する操作入力信号が生成され、通信部より出力されて外部機器へ伝送される。
【０００４】
上記プログラマブル操作表示器等の表示装置の表示画面は、パーソナルコンピュータ等のコンピュータ上で動作し実行される設計支援ツール等により構成される表示画面設計支援装置を用いて行うことが多い。例えばプログラマブル操作表示器を使用する場合、設置する中間ユーザは、設計者として表示画面設計支援装置にて表示画面の設計を行い、表示画面の表示項目として、操作部材や表示シンボル等に関する設定内容や設定条件を含む設定情報を決定する。設計完了後、表示画面の設定情報をコンピュータからプログラマブル操作表示器に転送し、プログラマブル操作表示器の設定記憶メモリに記憶させる。エンドユーザが使用者として使用する場合、プログラマブル操作表示器は設定情報に基づいて動作し、表示画面の表示内容を確認したり、所定の操作を行うことが可能になる。
【０００５】
表示画面設計支援装置を構成する設計支援ツールは、ライン描画や色指定などの描画機能に加え、表示画面に設ける操作部材や表示シンボル等を入力するための様々なオブジェクトライブラリを持っている。オブジェクトライブラリには、スイッチ部品、ランプ部品、キーボード部品、グラフ部品などの各種オブジェクトを準備している。これらのオブジェクトは、表示画面の設計時において、設計者の指示に基づき必要に応じて選択、配置され、そのパラメータ等を含む設定情報が作成される。そして、設計した表示画面を持つプログラマブル操作表示器等の表示装置の運用時には、設定情報のパラメータに基づき、表示画面の各オブジェクトが所定の機能を実現する。
【０００６】
プログラマブル操作表示器等の表示装置において、表示部の表示画面を認識できる範囲は、表示部を取り付けた位置と表示部自体の視野角の特性などによって決まる。よって、どれくらいの位置からどれくらいの身長の人が視認して操作できるかは、表示部の取付位置等によって決まってくる。しかしながら、従来では、使用時に想定する操作者が視認及び操作可能な範囲にあるかどうかを確認するには、実際に表示部を取り付けて確認する方法しかなかった。
【０００７】
表示装置の視野角調整機能としては、例えば、特許文献２には予め登録した車種データを基に適切な視野角になるよう調整する車両搭載用の液晶表示装置の視野角設定回路が開示されている。また、特許文献３には、液晶ディスプレイの取付角度や利用者視角を検出することで、最適視野角に調整することができる車載用の液晶表示装置が開示されている。また、特許文献４には、液晶表示パネルへの印加電圧を調整することにより、視野角を最適化する車両搭載用表示装置の視野角調整装置が開示されている。
【先行技術文献】
【特許文献】
【０００８】
【特許文献１】特開平１１−４５１１０号公報
【特許文献２】特開平１０−１９７８４３号公報
【特許文献３】特開２００３−１２２３１０号公報
【特許文献４】特開平１１−２９８８２８号公報
【発明の概要】
【発明が解決しようとする課題】
【０００９】
上述したように、従来の表示装置では、表示部の取付位置に対して操作者が見易い状態で操作できるかどうかは、実際に取り付けた状態でしか確認できなかった。また、表示装置の表示部に使用される液晶ディスプレイ等の表示デバイスは、機種ごとなどで視野角特性が異なるので、以前の表示部では見易い状態であっても、表示部のタイプを変更した場合、見易い位置は異なってくる。場合によっては、表示部を変更すると視認できなくなることも考えられ、取付位置の変更を要することもあった。よって、従来では、表示画面の視認状態の確認、調整に手間がかかるなどの課題が生じていた。
【００１０】
本発明は、上記事情に鑑みてなされたもので、画面設計時に表示画面の視認範囲等を確認でき、実使用時の視認性を確認しながら画面作成を行うことが可能な表示画面設計支援装置及びプログラムを提供することを目的とする。
【課題を解決するための手段】
【００１１】
本発明は、表示装置における表示画面の設計に用いる表示画面設計支援装置であって、作成した表示画面を前記表示装置において表示した場合に操作者から見える視野範囲を算出する視野範囲算出処理部を備え、前記視野範囲算出処理部は、前記表示装置の表示部の機種ごとの視野角情報を含む表示器視野角情報を入力する表示器視野角情報入力部と、前記表示装置の使用時における前記表示部の取付位置を示す取付位置情報を入力する取付位置情報入力部と、前記表示器視野角情報及び前記取付位置情報に基づき、取付位置に応じた操作者が視認可能な視認可能範囲を算出する視認可能範囲算出部と、前記算出した視認可能範囲を含む視野範囲情報を出力する視野範囲算出結果出力部と、を有する表示画面設計支援装置を提供する。
この構成により、表示装置の使用時の取付位置情報として、表示部と操作者との距離、表示部の取付高さ、表示部の取付角度などを入力することで、表示部を取り付けた状態での視認可能範囲を提示することができ、設計者が画面設計時に実使用時の視認可能範囲を確認しながら画面作成を行うことが可能となる。
【００１２】
また、本発明は、表示装置における表示画面の設計に用いる表示画面設計支援装置であって、作成した表示画面を前記表示装置において表示した場合に操作者から見える視野範囲を算出する視野範囲算出処理部を備え、前記視野範囲算出処理部は、前記表示装置の表示部の機種ごとの視野角情報を含む表示器視野角情報を入力する表示器視野角情報入力部と、前記表示装置の使用時における前記表示部に対する操作者の位置を示す視認位置情報を入力する視認位置情報入力部と、前記表示器視野角情報及び前記視認位置情報に基づき、視認位置に応じた表示部の最適取付位置を算出する最適取付位置算出部と、前記算出した最適取付位置を含む視野範囲情報を出力する視野範囲算出結果出力部と、を有する表示画面設計支援装置を提供する。
この構成により、表示装置の使用時の視認位置情報として、操作者の身長、表示部と操作者との距離などを入力することで、対象とする操作者及び操作位置に対する最適な表示部の取付位置、取付角度などの最適取付位置を提示することができ、設計者が画面設計時に最適取付位置を確認しながら画面作成を行うことが可能となる。
【００１３】
また、本発明は、コンピュータに、上記いずれかに記載の表示画面設計支援装置の各部の機能を実現させるためのプログラムを提供する。
【発明の効果】
【００１４】
本発明によれば、画面設計時に表示画面の視認範囲等を確認でき、実使用時の視認性を確認しながら画面作成を行うことが可能な表示画面設計支援装置及びプログラムを提供できる。
【図面の簡単な説明】
【００１５】
【図１】本実施形態に係る表示画面設計支援装置及びプログラマブル操作表示器の概略構成を示す模式図
【図２】本実施形態に係る表示画面設計支援装置及びプログラマブル操作表示器を実現する各部の機能的構成を示すブロック図
【図３】本実施形態の表示画面設計支援装置に搭載される表示画面設計支援ツールの動作画面を示す図
【図４】本実施形態の表示画面設計支援ツールの概念的構成を示すブロック図
【図５】本実施形態における視認可能範囲算出機能の処理手順を示すフローチャート
【図６】左右方向の視認可能範囲算出方法を説明する図
【図７】上下方向の視認可能範囲算出方法を説明する図
【図８】視野範囲情報画面における視認可能範囲の表示例を示す図
【図９】本実施形態における最適取付位置算出機能の処理手順を示すフローチャート
【図１０】視野範囲情報画面における最適視認位置の表示例を示す図
【発明を実施するための形態】
【００１６】
本実施形態では、表示画面設計支援装置及びプログラムの一例として、表示装置として用いられるプログラマブル操作表示器の表示部の表示画面に対応し、この表示画面の設計を支援する装置の構成、機能、及びその動作について説明する。本実施形態の表示画面設計支援装置及びプログラムは、プログラマブル操作表示器と接続されるコンピュータにおいて動作する表示画面設計支援ツールを有して構成される。
【００１７】
図１は本実施形態に係る表示画面設計支援装置及びプログラマブル操作表示器の概略構成を示す模式図、図２は本実施形態に係る表示画面設計支援装置及びプログラマブル操作表示器を実現する各部の機能的構成を示すブロック図である。
【００１８】
表示画面設計支援装置に搭載される表示画面設計支援ツールは、コンピュータとしてのパーソナルコンピュータ（ＰＣ）１０において動作し特定の機能を実現するプログラムによって構成される。図１に示すように、設計入力操作用の端末となるパーソナルコンピュータ１０は、コンピュータ本体１１とモニタ１２とを有して構成され、表示画面設計支援ツールの動作画面がモニタ１２上に表示される。このパーソナルコンピュータ１０は、通信ケーブル２０を介してプログラマブル操作表示器３０と接続され、表示画面設計支援ツールにより設計した表示画面の設定情報をプログラマブル操作表示器３０に伝送して記憶させる。なお、通信ケーブル２０の代わりに、図示しないメモリカード等の記憶媒体を用いて、設計した表示画面の設定情報をプログラマブル操作表示器３０に転送することも可能である。
【００１９】
図２に示すように、コンピュータ本体１１には、各種処理を行うプロセッサとしてのＣＰＵ１３、動作時のプログラムやデータを記憶するメモリ１４、表示画面設計支援ツール１５を含む各種プログラムやデータを格納するハードディスクやシリコンディスク等からなる情報格納部１６、モニタ１２に対する出力を中継する表示インタフェース１７、通信ケーブル２０と接続されプログラマブル操作表示器３０との間でデータを送受信する通信インタフェース１８、キーボードやマウス等の操作デバイスによる操作部２５と接続され操作入力信号を中継する操作インタフェース１９が設けられている。一方、プログラマブル操作表示器３０には、表示デバイスと操作入力デバイスとを有してなる表示部３１、オペレーションシステムプログラムを格納したシステムメモリ３２、オペレーションシステムプログラムに基づいてシステム全体を制御する制御部３３、通信ケーブル２０と接続されパーソナルコンピュータ１０との間でデータを送受信する通信部３４、表示部３１の表示画面の設定情報を記憶する設定記憶メモリ３５が設けられている。表示部３１は、表示デバイスとしてのＬＣＤ３６と操作入力デバイスとしてのタッチパネル３７とを有して構成される。
【００２０】
図３は本実施形態の表示画面設計支援装置に搭載される表示画面設計支援ツールの動作画面を示す図である。パーソナルコンピュータ１０において表示画面設計支援ツール１５が動作したとき、モニタ１２には動作画面として設計画面４１などが表示される。設計画面４１は、表示画面のオブジェクトの配置や色設定等を行うものであり、設計者が各種部品等の配置オブジェクト４２を適宜配置して表示画面の設計を行うものである。設計画面４１の右側には、表示画面に用いる操作部材等の各種のオブジェクト４４が配列されたオブジェクトライブラリ画面４３が表示される。設計者はオブジェクトライブラリ画面４３内のオブジェクト４４を適宜選択して設計画面４１に配置し、オブジェクトの位置、大きさ、色等の設定を行う。
【００２１】
図４は本実施形態の表示画面設計支援ツールの概念的構成を示すブロック図である。表示画面設計支援ツール１５は、各機能を実現する概念的構成として、視野範囲算出処理部５１、表示器視野角情報５２を有している。視野範囲算出処理部５１は、操作部２５の指示操作による操作入力信号等に基づき、実際に使用するプログラマブル操作表示器の表示部の視認可能範囲、最適取付位置などの視野範囲に関する値の算出等の各種処理を行う。この際、作成された表示画面情報、実際に使用するプログラマブル操作表示器３０の表示部の機種、仕様等の選択情報を含む表示器選択情報、プログラマブル操作表示器３０の設置位置等の情報を含む取付位置情報、プログラマブル操作表示器３０の操作者の位置等の情報を含む視認位置情報などを入力する。次に、視野範囲算出処理部５１は、表示画面が視認可能なエリアを示す視認可能範囲、対象とする操作者において最適な取付位置、取付角度を示す最適取付位置などの視野範囲情報を算出する。そして、視野範囲算出結果を含む視野範囲情報画面を出力し、パーソナルコンピュータ１０のモニタ１２上に視野範囲情報画面を表示させる。設計者は、この視野範囲情報画面を見て実使用状態での表示画面の適切な視野範囲を確認することができる。
【００２２】
表示器視野角情報５２は、予め表示画面設計支援ツール１５に登録された、表示画面作成可能なプログラマブル操作表示器３０の機種に対して、各機種の表示部の視野角情報を有する。なお、表示部の画面情報（画面サイズ、解像度、１ピクセルサイズ等）も合わせて持つようにしてもよい。視野範囲情報の算出の際には、表示器視野角情報５２の中から設計者の指示によって選択、登録された機種の表示部の視野角情報を出力する。
【００２３】
本実施形態では、表示器視野角情報５２を用いて、実際に使用するプログラマブル操作表示器３０の表示画面が視認可能なエリアを示す視認可能範囲を算出して表示する。また、表示器視野角情報５２を用いて、対象とする操作者が実際に操作する場合を想定し、使用するプログラマブル操作表示器３０の視認可能範囲から最適な取付位置、取付角度を示す最適取付位置を算出して表示する。
【００２４】
（第１の実施形態）
本実施形態に係る表示画面設計支援装置の第１の実施形態として、視認可能範囲による視野範囲情報の算出機能について説明する。表示画面設計支援ツール１５は、視野範囲算出処理部５１において、表示器視野角情報と取付位置情報に基づき、使用するプログラマブル操作表示器３０の左右方向及び上下方向の視野角を用いて、操作者が視認可能な視認可能範囲を算出する。そして、モニタ１２上の視野範囲情報画面において視認可能範囲を図面等で表示する。これにより、設計者において、実使用状態での表示画面の適切な視野範囲を確認可能にする。
【００２５】
ここで、視野範囲算出処理部５１は、表示装置の表示部の機種ごとの視野角情報を含む表示器視野角情報を入力する表示器視野角情報入力部、表示装置の使用時における表示部の取付位置を示す取付位置情報を入力する取付位置情報入力部、取付位置に応じた操作者が視認可能な視認可能範囲を算出する視認可能範囲算出部、算出した視認可能範囲を含む視野範囲情報を出力する視野範囲算出結果出力部の各機能を有している。
【００２６】
図５は本実施形態における視認可能範囲算出機能の処理手順を示すフローチャートである。視野範囲算出処理部５１は、まず実際に取り付けるプログラマブル操作表示器３０の取付位置、取付角度、操作者からの操作距離などの取付位置情報を入力する（ステップＳ１１）。取付位置情報は、ユーザ入力として設計者の操作により入力されるものとする。そして、表示器選択情報に基づき、使用機種として予め設定登録されたプログラマブル操作表示器３０の機種を判定し（ステップＳ１２）、表示器視野角情報５２を用いて、実際に使用されるプログラマブル操作表示器３０の機種に応じた視野角情報を設定する。ここで、プログラマブル操作表示器３０の機種がタイプＡの場合、視野角情報としてθａをセットする（ステップＳ１３）。また、プログラマブル操作表示器３０の機種がタイプＢの場合、視野角情報としてθｂをセットする（ステップＳ１４）。同様に、プログラマブル操作表示器３０の機種がタイプＮの場合、視野角情報としてθｎをセットする（ステップＳ１５）。なお、表示器視野角情報５２は、表示画面設計支援ツール１５において表示画面作成可能なプログラマブル操作表示器３０の機種に対して、各機種の表示部の視野角情報（左右方向の視野角、上下方向の視野角等）を予め登録しておく。その後、視野範囲算出処理部５１は、視認可能範囲算出処理を実行し（ステップＳ１６）、算出した視認可能範囲を示す視野範囲情報（視認可能エリア）を視野範囲情報画面において表示する（ステップＳ１７）。
【００２７】
ここで、図６及び図７を参照して視認可能範囲の算出方法を説明する。図６は左右方向の視認可能範囲算出方法を説明する図であり、（ａ）はプログラマブル操作表示器３０の表示部３１と左右方向視認可能エリアとの関係を示す図、（ｂ）は左右方向視認可能エリアの算出式を示す図である。
【００２８】
図６（ａ）に示すように、表示部３１の表示デバイスの左側視野角をθL、表示部３１の表示デバイスの右側視野角をθR、表示部３１と操作者との距離（操作距離）をｄとし、左側の視認可能エリアをＷL、右側の視認可能エリアをＷRとする。ここで、左側視野角θLと右側視野角θRは表示器視野角情報５２から選択した表示器の視野角情報を用いる。操作距離ｄはユーザ入力として設計者が入力する。この場合、図６（ｂ）に示すように、左右方向の視認可能エリアの範囲は、ＷL＝ｄ・ｔａｎθL、ＷR＝ｄ・ｔａｎθRで表現でき、これらの式によって左右方向の視認可能範囲が算出可能である。
【００２９】
図７は上下方向の視認可能範囲算出方法を説明する図であり、（ａ）はプログラマブル操作表示器３０の表示部３１と上下方向視認可能エリアとの関係を示す図、（ｂ）は上下方向視認可能エリアの算出式を示す図である。
【００３０】
図７（ａ）に示すように、表示部３１の取付角度をφ、表示部３１の表示デバイスの上側視野角をθU、表示部３１の表示デバイスの下側視野角をθD、表示部３１と操作者との距離（操作距離）をｄ、表示部３１の取付高さをｈとし、上側の視認可能エリアをＴｕ、下側の視認可能エリアをＴｄとする。なお、Ｔａは視認可能エリアで最も見栄えがよい位置（センター位置）を示す。ここで、上側視野角θUと下側視野角θDは表示器視野角情報５２から選択した表示器の視野角情報を用いる。取付角度φ、操作距離ｄ、取付高さｈはユーザ入力の取付位置情報として設計者が入力する。この場合、図７（ｂ）に示すように、各部の角度がＡ１＝θU＋φ、Ａ２＝θD−φ、Ａ３＝φとなり、操作距離ｄから上下方向の各部の距離がｄ・ｔａｎ（θU＋φ）、ｄ・ｔａｎ（θD−φ）、ｄ・ｔａｎφと求まる。よって、上下方向の視認可能エリアの範囲は、Ｔｕ＝ｈ＋ｄ・ｔａｎ（θU＋φ）、Ｔｄ＝ｈ−ｄ・ｔａｎ（θD−φ）で表現でき、これらの式によって上下方向の視認可能範囲が算出可能である。また、センター位置ＴａはＴａ＝ｈ＋ｄ・ｔａｎφで求められる。
【００３１】
図８は視野範囲情報画面における視認可能範囲の表示例を示す図である。モニタ１２上の視野範囲情報画面には視認可能範囲表示画面６１が表示され、正面画像として左右方向視認可能エリア６２と、側面画像として上下方向視認可能エリア６３とが表示される。この例では、左右方向及び上下方向の視認可能エリアを図示するとともに、操作距離及びその操作距離上での視認可能エリアの大きさを数値で示している。
【００３２】
このように視野可能範囲を算出して視野範囲情報画面に明示することにより、表示画面設計支援ツール１５を使用する設計者は、実際に使用するプログラマブル操作表示器３０を操作者が操作するときに視認及び操作可能な範囲として、表示画面の適切な視野範囲を確認し把握することができる。
【００３３】
（第２の実施形態）
本実施形態に係る表示画面設計支援装置の第２の実施形態として、最適取付位置による視野範囲情報の算出機能について説明する。表示画面設計支援ツール１５は、視野範囲算出処理部５１において、表示器視野角情報と視認位置情報に基づき、使用するプログラマブル操作表示器３０の左右方向及び上下方向の視野角を用いて、対象とする操作者が操作する場合の最適な取付位置、取付角度等の最適取付位置を算出する。そして、モニタ１２上の視野範囲情報画面において最適取付位置を図面、数値等で表示する。これにより、設計者において、実使用状態での表示部の最適な取付位置を確認可能にする。
【００３４】
ここで、視野範囲算出処理部５１は、表示装置の表示部の機種ごとの視野角情報を含む表示器視野角情報を入力する表示器視野角情報入力部、表示装置の使用時における表示部に対する操作者の位置を示す視認位置情報を入力する視認位置情報入力部、視認位置に応じた表示部の最適取付位置を算出する最適取付位置算出部、算出した最適取付位置を含む視野範囲情報を出力する視野範囲算出結果出力部の各機能を有している。
【００３５】
図９は本実施形態における最適取付位置算出機能の処理手順を示すフローチャートである。視野範囲算出処理部５１は、まず対象とする操作者の視認位置の高さとしての身長、操作者からプログラマブル操作表示器３０までの操作距離などの視認位置情報を入力する（ステップＳ２１）。視認位置情報は、ユーザ入力として設計者の操作により入力されるものとする。そして、表示器選択情報に基づき、使用機種として予め設定登録されたプログラマブル操作表示器３０の機種を判定し（ステップＳ２２）、表示器視野角情報５２を用いて、実際に使用されるプログラマブル操作表示器３０の機種に応じた視野角情報を設定する。ここで、プログラマブル操作表示器３０の機種がタイプＡの場合、視野角情報としてθａをセットする（ステップＳ２３）。また、プログラマブル操作表示器３０の機種がタイプＢの場合、視野角情報としてθｂをセットする（ステップＳ２４）。同様に、プログラマブル操作表示器３０の機種がタイプＮの場合、視野角情報としてθｎをセットする（ステップＳ２５）。その後、視野範囲算出処理部５１は、最適取付位置算出処理を実行し（ステップＳ２６）、算出した最適取付位置を示す視野範囲情報（最適な取付位置、取付角度）を視野範囲情報画面において表示する（ステップＳ２７）。
【００３６】
ここで、最適取付位置の算出方法を説明する。設計者は、視認位置情報として、最も利用される操作者の標準身長、想定する操作者の身長の範囲（上側、下側）、操作者と表示部との操作距離を入力し、表示器選択情報として使用する表示部の機種を入力する。これら入力情報から、視野範囲算出処理部５１は、最も利用する操作者が一番使用しやすいように取付位置、取付角度を算出する。ここで、最も使い易い位置は、操作者の目の位置に水平にある場合が好ましい。なお、標準身長を用いて算出した最も使い易い位置が、想定する操作者の身長の範囲（上側、下側）を満たさない場合は、取付高さと角度を調整して、最適な取付位置、取付角度を算出する。
【００３７】
以下に具体例を挙げて最適取付位置の算出方法を詳しく説明する。視認位置情報及び表示器選択情報として下記の値を設定した場合を示す。
選択機種：カラー５型（上下方向の視野角θU及びθDは４５°とする）
操作者身長（標準）［Ｔａ］：１７０ｃｍ
操作者身長（下側）［Ｔｄ］：１６０ｃｍ
操作者身長（上側）［Ｔｕ］：１９０ｃｍ
操作者と表示器の操作距離［ｄ］：３０ｃｍ
【００３８】
この場合、前述した図７の視野可能範囲算出式より、ＴｕとＴｄは下記の式（１）、（２）で表される。
Ｔｕ＝ｈ＋３０・ｔａｎ（４５＋φ）≧１９０（ｃｍ）  …（１）
Ｔｄ＝ｈ−３０・ｔａｎ（４５−φ）≦１６０（ｃｍ）  …（２）
【００３９】
ここで、最も利用される操作者の標準身長を１７０ｃｍとした場合、ｈ＝１７０ｃｍ、φ＝０が最も良い視認状態及び操作状態が得られる最適視認位置である。なお、ここでは目の高さと身長を同じとして計算している。このｈを上記式（１）、（２）に代入して確認すると、２つの式は満たされるので、最適視認位置は、ｈ＝１７０ｃｍ、φ＝０である。
１７０＋３０・ｔａｎ（４５＋０）≧１９０  …（１）’
１７０−３０・ｔａｎ（４５−０）≦１６０  …（２）’
【００４０】
次に、φ≠０の場合における算出例を示す。例えば、上記例において、操作者身長（上側）［Ｔｕ］を変更してＴｕ＝２１０ｃｍとする。この場合、ｈ＝１７０ｃｍ、φ＝０では上記式（１）は満足できない。
【００４１】
このため、身長１７０ｃｍの人が良好に視認できる角度になるための条件として、下記の式（３）を追加して、式（１）〜（３）を満足するようなｈとφの値を算出する。
ｈ＋ｄ・ｔａｎ（φ）＝１７０（ｃｍ）  …（３）
【００４２】
ここで、ｄ＝３０ｃｍを代入すると、上記式（１）〜（３）は以下のようになる。
ｈ＋３０・ｔａｎ（４５＋φ）≧２１０  …（１）”
ｈ−３０・ｔａｎ（４５−φ）≦１６０  …（２）”
ｈ＋３０・ｔａｎ（φ）＝１７０  …（３）”
【００４３】
これらの式を変形すると、以下の３つの式による式（４）のようになる。
ｈ≧２１０−３０・ｔａｎ（４５＋φ）
ｈ≦１６０＋３０・ｔａｎ（４５−φ）
ｈ＝１７０−３０・ｔａｎ（φ）            …（４）
【００４４】
上記式（４）を満たすφの値は、４５°≧φ≧１３°となる。
角度φは出来る限り０°に近い方が見易いので、φ＝１３を採用して、最適視認位置は、ｈ＝１６３ｃｍ、φ＝１３°が最もよい条件となる。
【００４５】
図１０は視野範囲情報画面における最適視認位置の表示例を示す図である。モニタ１２上の視野範囲情報画面には最適視認位置表示画面７１が表示される。この例では、ユーザ入力情報７２と、算出結果としての最適視認位置７３とが数値で示される。また、側面の視認可能エリアを示す上下方向視認可能エリア７４を表示している。
【００４６】
このように最適視認位置を算出して視野範囲情報画面に明示することにより、表示画面設計支援ツール１５を使用する設計者は、実使用時に想定される操作者がプログラマブル操作表示器３０を操作する場合に、表示画面を良好に視認及び操作できる最適な表示部３１の取付位置、取付角度を確認し把握することができる。
【００４７】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。
【符号の説明】
【００４８】
１０  パーソナルコンピュータ（ＰＣ）
１１  コンピュータ本体
１２  モニタ
１３  ＣＰＵ
１４  メモリ
１５  表示画面設計支援ツール
１６  情報格納部
１７  表示インタフェース
１８  通信インタフェース
１９  操作インタフェース
２０  通信ケーブル
２５  操作部
３０  プログラマブル操作表示器
３１  表示部
３２  システムメモリ
３３  制御部
３４  通信部
３５  設定記憶メモリ
３６  ＬＣＤ
３７  タッチパネル
４１  設計画面
４２  配置オブジェクト
４３  オブジェクトライブラリ画面
４４  オブジェクト
５１  視野範囲算出処理部
５２  表示器視野角情報
６１  視認可能範囲表示画面
６２  左右方向視認可能エリア
６３  上下方向視認可能エリア
７１  最適視認位置表示画面
７２  ユーザ入力情報
７３  最適視認位置
７４  上下方向視認可能エリア
【図１】
2010198121.tif 000003
【図２】
2010198121.tif 000004
【図３】
2010198121.tif 000005
【図４】
2010198121.tif 000006
【図５】
2010198121.tif 000007
【図６】
2010198121.tif 000008
【図７】
2010198121.tif 000009
【図８】
2010198121.tif 000010
【図９】
2010198121.tif 000011
【図１０】
2010198121.tif 000012